(57)【要約】【課題】本発明は、市販のカラー複写機やカラースキャナなどを利用した複製による偽造が極めて困難であり、かつ廉価で製造する事が可能であり、真正品と複製物（偽造品）を簡単な装置を用いて明確に判別することができるようにした偽造防止印刷物の提供を目的とする。【解決手段】紙やプラスチック製シートなどの基材の少なくとも片面上の一部または全部に、マイナスイオンを発生させるトルマリンの微粉末などが含有されたインキにて印刷された印刷層を設ける。【選択図】図１
2004009565.tif 000002
【特許請求の範囲】
【請求項１】
基材の少なくとも片面上の一部または全部に、マイナスイオンを発生させる微粉末が含有されたインキにて印刷された印刷層が設けられてなることを特徴とする偽造防止印刷物。
【請求項２】
前記マイナスイオンを発生させる微粉末は、トルマリン微粉末もしくは放射性鉱物を含有するセラミック微粉末の単独または混合物であることを特徴とする請求項１記載の偽造防止印刷物。
【発明の詳細な説明】
【０００１】
【産業上の利用分野】
本発明は、複写機などによる複製を利用した偽造を防止するための偽造防止印刷物に関するものである。
【０００２】
【従来の技術】
近年、電子写真技術を利用した複写機が普及し、これを利用して誰でもが簡単に紙などに印刷された文字や画像を複写することができるようになった。特に、最近のカラーデジタル複写機によれば、原稿との見分けが極めて困難な複写物でさえも容易に作成することができるようになっている。
【０００３】
一般的なカラーデジタル複写機における原理的な複写手順は次のようである。即ち、まず複写しようとする原稿に光を照射し、そこからの反射光をＣＣＤラインセンサで検知する。ＣＣＤラインセンサでは、検知した反射光の強度に応じたデジタル信号を生成し、複写機内のメモリに送信する。このＣＣＤラインセンサーによる読み取り並びにデジタル信号のメモリへの送信はレッド（Ｒ）、グリーン（Ｇ）、ブルー（Ｂ）の３色について行い、前述したようにそれらのデジタル信号をメモリに格納する。次に格納された各デジタル信号に基づいて、レーザ光を感光体ドラムの表面に照射し、その照射部分の適宜箇所にイエロー（Ｙ）、マゼンタ（Ｍ）、シアン（Ｃ）、ブラック（Ｂｋ）の各トナーを順次静電吸着させ、トナーによる画像を形成する。そして、これらのトナーによる画像を順次紙などのシート上に転写して定着させ、所望のカラーの複写画像が形成された精巧な複写物を得ることができる。
【０００４】
【発明が解決しようとする課題】
かかるカラー複写は複製を便利にする反面、株券、債券、約束手形、小切手などの有価証券や、入場券、搭乗券などの印刷物などの複製も容易にしてしまい、作製した複写物が悪用されるという問題を増加させている。このため、容易に複製できないように印刷物に複製防止対策を施す提案が種々なされている。
【０００５】
その中で、カラー複写による複写物の色が原稿の色と異なるようにする複製防止技術が種々提案されている。例えば原稿とされうる有価証券などを非常に淡い色で着色し、複写物ではその淡い色の部分が正確に再現できないようにする技術であり、原稿の一部に大きさの異なる網点を種々形成しておき、複写してもその中の小さい網点は再現性が悪いため原稿の状態が忠実に再現化できないようにした技術である。また、カラー複写機のトナーに無い色である緑、紫、橙、金、銀などで原稿の一部にパターンを印刷しておくことにより、複写物ではその部分の色再現性が悪化するようにした技術や、人間の比視感度が低い領域例えば３８０ｎｍ〜４５０ｎｍおよび６５０〜７８０ｎｍあたりの波長域にそれぞれ特徴をもたせた、目視では同色に認識される２種類のインキを用い、見た目には同色に認識されるパターンを形成しておき、カラー複写された複写物上ではその部分が異なる色に再現するようにした技術もある。
【０００６】
しかし、カラーデジタル複写機では、３色に分解されてメモリに格納されたデジタルデータを変更することによって、出力する色を補正することが可能である。また、カラー複写機と同様の原理を利用してカラースキャナーで読み込んだデジタルデータをコンピュータで補正し、カラープリンタまたはカラー複写機で出力するようなデジタルプレスが普及しつつある。従って、これらの機器を使用し、多少の手間をかければ、原稿の色を精巧に再現することが可能であり、上記のような技術では複製による偽造を完全に防止することはできない。
【０００７】
また、カラー複写機では再現不可能な特殊部分を有価証券などに設けておく技術も提案されている。このうち、ホログラム箔などのＯＶＤ箔を有価証券などの表面上に設ける技術はすでに実用化されている。これによれば、ホログラムの銀面が光を鏡面反射するため、ＣＣＤラインセンサに反射光が入射せず、原稿で銀面だった部分が複写物では黒色に再現される。また、屈折率の異なるセラミックを適当な膜厚にて複数の層に積層すると、見る角度によって色が変化する特殊な光学薄膜が形成されるが、このような光学薄膜を有価証券の一部に設けておく技術もある。かかる光学薄膜の性質は、複写物上では再現することができないので、その部分の特性の有無を検証すれば容易に真偽判定が可能である。さらに、上記したホログラム箔や光学薄膜などを細かく砕き、インキに混入して印刷を行う方法も提案されている。
【０００８】
しかしながら、これらの技術では、ホログラム箔やセラミック膜は蒸着やスパッタリングのようなドライコーティングで形成する必要があり、工程が複雑化する上、製造コストが極めて高いという問題がある。
【０００９】
さらに、可視光線の下では識別できない部分を有価証券などに設けておく技術も提案されている。例えば、赤外線吸収色素を含有するインキにて原稿の一部に所定のパターンを印刷しておく技術であり、市販されている複写機およびプリンタのトナーには赤外線吸収能力はないので、複写物上の複製パターンは原稿と同じように見えるが、その一部の赤外線吸収能までは再現することができないようにしたものである。従って赤外線を利用した検証器によって真偽判断が可能である。また、紫外線の照射によって蛍光を発する蛍光体を含有するインキで原稿の一部に印刷を施すようにした技術もあるが、この場合市販されている複写機およびプリンタではそのような蛍光発光機能までをも再現できないので、ブラックライトを照射すると、本物は発光するが、偽造品は発光せず、容易に真偽判断が可能となる。
【００１０】
本発明は上記した種々の事情を考慮してなされたものであり、市販のカラー複写機などを利用した複製による偽造が極めて困難であり、かつ廉価で製造する事が可能であり、真正品と複製物（偽造品）を簡単な装置を用いて明確に判別することができる偽造防止印刷物を提供する事を目的とする。
【００１１】
【問題を解決するための手段】
上記目的を達成するためになされ、請求項１に記載の発明は、基材の少なくとも片面上の一部に、マイナスイオンを発生させる微粉末が含有されたインキにて印刷された印刷層が設けられてなることを特徴とする偽造防止印刷物である。
【００１２】
また、請求項２に記載の発明は、請求項１記載の偽造防止印刷物において、前記マイナスイオンを発生させる微粉末は、トルマリン微粉末もしくは放射性鉱物を含有するセラミック微粉末の単独または混合物であることを特徴とする。
【００１３】
【発明の実施の形態】
以下、本発明の実施の形態によって図面を参照して詳細に説明する。
【００１４】
図１は本発明の偽造防止印刷物の一実施例を示す平面図であり、図２は図１の偽造防止印刷物のＸ−Ｘ’線における断面図である。
【００１５】
図示の偽造防止印刷物１は、基材１１、マイナスイオンが発生する印刷層１２、絵柄層１３から成っている。
【００１６】
基材１１としては、例えば紙や、プラスチック、木材、ガラス、金属などからなるシートなどが用いられ、偽造防止印刷物としての用途に応じてこれらの中から適宜のものを選択して用いればよい。
【００１７】
マイナスイオンが発生する印刷層１２は、マイナスイオンが発生する微粉末を含有するインキにて印刷されてなるものである。
【００１８】
マイナスイオンが発生する微粉末としては、トルマリン微粉末および放射性鉱物を含有するセラミック微粉末の単独もしくは混合物などの微粉末が挙げられる。トルマリンとは、結晶鉱物で世界各国で産出され、宝石として珍重されているもので、自発永久分極を有するので微細粒子にすれば、微細化されたそれぞれの微粒子が分極し、活性電子の放出によりマイナスイオンが発生する。
【００１９】
また、放射性鉱物を含有するセラミック微粉末は、例えばトリウムやウランなどを含む放射性レア・アース鉱石と、遠赤外線を放射するジルコン、ジルコニア、アルミナ、シリカ等のセラミックスを混合し、粉砕、焼成後に適宜補助剤を添加混合した後、微粉砕、分級したものであり、トリウムやウラン等の放射性物質が含まれるので、人体に影響がない程度の放射線が放出され、酸素、窒素、水分、二酸化炭素などの大気中の成分に作用してマイナス電荷を持った電子ｅ−を放出させるようにしたものである。この電子ｅ−は、水、二酸化炭素と反応してマイナスイオンを生成する。
【００２０】
上述したインキはこれらのマイナスイオンを発生させる微粉末をビヒクル中に分散してインキ化したもので、結着剤、分散剤および助剤の種類を適宜選択し、それらの混合比率などを調整することによりグラビア印刷用、オフセット印刷用、スクリーン印刷用などの各種印刷用のインキにすることができる。また、インキ化に当たっては、さらに色素、顔料との混合することも可能である。
【００２１】
図示の偽造防止印刷物１は、基材１１の片面上にマイナスイオンが発生する印刷層１２を設けた例で示したが、本発明の偽造防止印刷物はこのような構成のものに限定されるものではなく、基材１１の他方の面上にもマイナスイオンが発生する印刷層が設けてあっても良い。
【００２２】
一方、絵柄層１３は基材１１上の文字、絵柄等のパターンをプロセスインキもしくは特色インキにて印刷して形成したものである。その印刷方式としては従来公知の印刷方法が適用可能である。
【００２３】
本発明は以上のような構成であり、マイナスイオンを発生する印刷層が基材の少なくとも片面上の一部または全面に設けてあって、そこからマイナスイオンが発生するようになっている。カラー複写機やデジタルプレスなどはこの印刷層を含むその他の画像形成状態は忠実に再現できたとしても、その一部の印刷層からマイナスイオンが発生するようには再現できない。もしこのような印刷物の真偽の判定が必要になったときには、その部分からのマイナスイオンの発生の有無をマイナスイオン測定機にて確認するようにすれば、真偽の判定を簡便に行えるようになる。
【００２４】
【実施例】
以下、本発明を具体的な実施例を挙げて説明する。
＜実施例１＞
９０Ｋｇベースの上質紙上に、下記［マイナスイオン発生インキの組成］からなるスクリーンインキを用い、スクリーン印刷方法にて約５μｍの厚さのマイナスイオンが発生する印刷層を設け、さらにその上に絵柄、文字等の絵柄層を印刷し、しかる後に所定の大きさにて断裁し、偽造防止印刷物を得た。
［マイナスイオン発生インキの組成］
放射性鉱物を含有するセラミック微粉末　　　　　　　　　　　２０重量部
（Ｎ，Ｎ−パウダー；株式会社ニシザキ製）
インキメジウム　　　　　　　　　　　　　　　　　　　　　　８０重量部
（ＳＳ８　ＷＡＣワニス；東洋インキ製造株式会社製）
【００２５】
上記偽造防止印刷物およびそれを原稿としてカラーコピー機にて作製した複写物（偽造品）のそれぞれを、簡易型マイナスイオン測定器ＥＢ−１２Ａ（株式会社エコホリスティック製）にセットしてマイナスイオン発生の有無を測定したところ、両者は外観上はほぼ同じような印刷物として認識されたが、印刷物からは１５０ｉｏｎｓ／ｃｃのマイナスイオン量が検出されたのに対し、複製物からはマイナスイオンが測定されず、印刷物とその複製物との違いを正確に判別することができた。
【００２６】
【発明の効果】
本発明は以上のようであるので、複写機やデジタルプレスなどを使用して精巧な複製がなされ、外観上は本発明の偽造防止印刷物との見分けがつかなくなったとしても、マイナスイオン測定器によりマイナスイオン発生の有無を確認するのみで両者の区別が正確に行えるようになり、優れた偽造防止効果が期待されるものである。また、マイナスイオンはこれまでの偽造防止インキを使用して得られる印刷物の検証に使用される検証器とは全く異なったマイナスイオン測定装置にて測定するため、検証器の小型化が可能で、誰にでもそれを使って簡単に真偽の判定が行えるようになる。
【図面の簡単な説明】
【図１】本発明の偽造防止印刷物に一実施例を示す平面説明図である。
【図２】図１に示す偽造防止印刷物のＸ−Ｘ’線における断面説明図である。
【符号の説明】
１・・・偽造防止印刷物
１１・・基材
１２・・マイナスイオンが発生する印刷層
１３・・絵柄層
【図１】
2004009565.tif 000003
【図２】
2004009565.tif 000004